(57)【要約】【課題】クーポンの引渡し不備を抑制することができる。【解決手段】会計レシートＡを印刷するレシートプリンター５と、クーポンＢを印刷するクーポンプリンター６と、を制御するＰＯＳレジスター２であって、印刷する会計レシートＡとクーポンＢとを関連付ける照合データＣを生成する照合データ生成部４５と、照合データＣを付加した会計レシートＡを、レシートプリンター５に印刷させる会計データ送信部４６と、照合データＣを付加したクーポンＢを、クーポンプリンター６に印刷させるクーポン印刷制御部４７、４８と、を備えた。【選択図】図１
2015099419.tif 000002
【特許請求の範囲】
【請求項１】
会計レシートを印刷するレシートプリンターと、クーポンを印刷するクーポンプリンターと、を制御する印刷制御装置であって、
印刷する前記会計レシートと前記クーポンとを関連付ける照合データを生成する照合データ生成部と、
前記照合データを付加した前記会計レシートを、前記レシートプリンターに印刷させるレシート印刷制御部と、
前記照合データを付加した前記クーポンを、前記クーポンプリンターに印刷させるクーポン印刷制御部と、を備えたことを特徴とする印刷制御装置。
【請求項２】
会計処理データを取得する会計データ取得部を、さらに備え、
前記照合データ生成部は、前記会計処理データ毎に前記照合データを生成し、
前記クーポン印刷制御部は、前記会計処理データに基づいて、前記クーポンを印刷させることを特徴とする請求項１に記載の印刷制御装置。
【請求項３】
前記クーポン印刷制御部は、予め登録されたキーコードと一致する文字列が、前記会計処理データに含まれている場合、一致した前記キーコードに応じた前記クーポンを印刷させることを特徴とする請求項２に記載の印刷制御装置。
【請求項４】
前記レシート印刷制御部は、前記文字列が、前記会計処理データに含まれていない場合には、前記照合データを付加しない前記会計レシートを印刷させることを特徴とする請求項３に記載の印刷制御装置。
【請求項５】
会計レシートを印刷するレシートプリンターと、クーポンを印刷するクーポンプリンターと、を制御する印刷制御方法であって、
印刷する前記会計レシートと前記クーポンとを関連付ける照合データを生成する照合データ生成ステップと、
前記照合データを付加した前記会計レシートを、前記レシートプリンターに印刷させるレシート印刷制御ステップと、
前記照合データを付加した前記クーポンを、前記クーポンプリンターに印刷させるクーポン印刷制御ステップと、を実行することを特徴とする印刷制御方法。
【請求項６】
コンピューターに、請求項５に記載の印刷制御方法における各ステップを実行させるためのプログラム。
【発明の詳細な説明】
【技術分野】
【０００１】
本発明は、レシートプリンターおよびクーポンプリンターを制御する印刷制御装置、印刷制御方法およびプログラムに関するものである。
【背景技術】
【０００２】
従来、商品管理システムとして、複数のＰＯＳ端末と、複数のＰＯＳ端末を管理するＰＯＳサーバーとを備えたものが知られている（特許文献１参照）。各ＰＯＳ端末は、ホスト装置と、ホスト装置に接続され、レシートを印刷する印刷装置（以下、レシートプリンターと呼称）とを備えており、会計処理を行う際には、ホスト装置によりレシート上に印刷を行うための印刷データを生成し、レシートプリンターにより印刷データに基づいてレシート上に印刷を行う。これによって、会計処理毎のレシートを発行する。
【先行技術文献】
【特許文献】
【０００３】
【特許文献１】特開２００８−２７１２３号公報
【発明の概要】
【発明が解決しようとする課題】
【０００４】
ところで、この種の商品販売管理システムにおいて、クーポン印刷用の印刷装置（以下、クーポンプリンターと呼称）をさらに備え、レシートに加え、クーポンを発行可能とする構成が知られている。すなわち、ホスト装置にクーポンプリンターを接続し、ホスト装置は、会計処理に際し、レシートプリンターにレシートを印刷させると共に、クーポンプリンターにクーポンを印刷させる。このように、会計処理時にその場でクーポンを発行することで、購入商品や購入金額等に応じたクーポンを適宜発行することができる。
しかしながら、このような構成では、オペレーターが、どの顧客にクーポンを渡すべきなのかが分からなくなり、クーポンの引き渡しがうまくいかないという問題が生じた。特に、複数の顧客の会計処理が連続した場合や、複数のＰＯＳ端末で１台のクーポンプリンターを兼用した場合など、顧客とクーポンとの関連付けが分かりづらくなり、本来渡すべき顧客とは別の顧客にクーポンを渡してしまうという事態が生じた。
【０００５】
本発明は、クーポンの引渡し不備を抑制することができる印刷制御装置、印刷制御方法およびプログラムを提供することを課題としている。
【課題を解決するための手段】
【０００６】
本発明の印刷制御装置は、会計レシートを印刷するレシートプリンターと、クーポンを印刷するクーポンプリンターと、を制御する印刷制御装置であって、印刷する会計レシートとクーポンとを関連付ける照合データを生成する照合データ生成部と、照合データを付加した会計レシートを、レシートプリンターに印刷させるレシート印刷制御部と、照合データを付加したクーポンを、クーポンプリンターに印刷させるクーポン印刷制御部と、を備えたことを特徴とする。
【０００７】
本発明の印刷制御方法は、会計レシートを印刷するレシートプリンターと、クーポンを印刷するクーポンプリンターと、を制御する印刷制御方法であって、印刷する会計レシートとクーポンとを関連付ける照合データを生成する照合データ生成ステップと、照合データを付加した会計レシートを、レシートプリンターに印刷させるレシート印刷制御ステップと、照合データを付加したクーポンを、クーポンプリンターに印刷させるクーポン印刷制御ステップと、を実行することを特徴とする。
【０００８】
これらの構成によれば、発行する会計レシートおよびクーポンの両方に、照合データ（例えばシリアル番号等）を付加（追記）することで、オペレーターが、会計レシートとクーポンとの関連付けを視認することができる。会計レシートは、顧客との関連付けが容易であるため、照合データで関連付けられた会計レシートとクーポンとを一緒に顧客に引き渡すことで、顧客に対しクーポンを間違いなく引き渡すことができる。すなわち、会計レシートを介することで、顧客とクーポンとの関連付けが分かるため、クーポンの引渡し不備を抑制することができる。なお、ここにいう「照合データ」は、例えば、カウントアップするシリアル番号であってもよいし、いくつかの記号を準備し、繰り返し変更してもよく、各会計レシートに対応する各クーポンが識別できれば良い。また、会計レシートおよびクーポンに同一の照合データを付加する構成であっても良いし、会計レシートおよびクーポンに対し、相互に対応していることが明確な一対の照合データをそれぞれ付加する構成であっても良い。また、ここにいう「クーポン」とは、割引券や商品引換券等、所持者に何らかの特典を与えるマーケティング用のチケット（いわゆるサービス券）である。
【０００９】
上記の印刷制御装置において、会計処理データを取得する会計データ取得部を、さらに備え、照合データ生成部は、会計処理データ毎に照合データを生成し、クーポン印刷制御部は、会計処理データに基づいて、クーポンを印刷させることが好ましい。
【００１０】
この構成によれば、会計処理手段（例えばＰＯＳアプリケーション）等から出力された会計処理データに基づいて、クーポンを自動的に発行することができるので、クーポンの発行操作等を行う必要がない。ゆえに、オペレーターによる、クーポン発行を含む会計作業を簡易化することができる。
【００１１】
この場合、クーポン印刷制御部は、予め登録されたキーコードと一致する文字列が、会計処理データに含まれている場合、一致したキーコードに応じたクーポンを印刷させることが好ましい。
【００１２】
この構成によれば、会計処理データ（のテキストデータ）に、予め登録されたキーコードが含まれているか否かに基づいて、クーポンを自動発行する構成であるため、既存の会計処理データを利用してクーポンを自動発行することができる。よって、会計処理データを出力する会計処理手段（例えばＰＯＳアプリケーション）側に、何ら変更を加える必要がなく、本印刷制御装置を容易に導入することができる。
【００１３】
また、レシート印刷制御部は、上記文字列が、会計処理データに含まれていない場合には、照合データを付加しない会計レシートを印刷させることが好ましい。
【００１４】
この構成によれば、会計処理データに、予め登録されたキーコードが含まれていない場合、すなわちクーポンを発行しない場合には、照合データを付加しない会計レシートを発行する。これによって、会計レシート上の照合データの有無を確認することで、会計レシートに対するクーポンの有無を確認することができる。ひいては、顧客に渡すべきクーポンの有無を容易に把握することができる。
【００１５】
本発明のプログラムは、コンピューターに、上記の印刷制御方法における各ステップを実行させることを特徴とする。
【００１６】
この構成によれば、コンピューターに、本プログラムを搭載するだけで、コンピューターに上記印刷制御方法における各ステップを実行させることができる。
【図面の簡単な説明】
【００１７】
【図１】本発明の一実施形態にかかる会計処理システムの概略構成図である。
【図２】ＰＯＳレジスター、レシートプリンターおよびクーポンプリンターの制御構成を示したブロック図である。
【図３】会計処理システムによる会計レシートおよびクーポンの発行動作を示したフローチャートである。
【発明を実施するための形態】
【００１８】
以下、添付の図面を参照して、本発明の一実施形態にかかる印刷制御装置、印刷制御方法およびプログラムについて説明する。本実施形態では、本発明の印刷制御装置を適用したＰＯＳ（Point  Of  Sale）レジスターおよび、これを備えた会計処理システムを例示する。この会計処理システムは、会計処理に際し、会計処理内容に応じてクーポンを発行するものである。また、本会計処理システムは、会計レシートおよびクーポンに所定の情報を付加して印刷を行うことで、オペレーターによるクーポンの引渡し不備が発生しないようにしたものである。
【００１９】
図１に示すように、会計処理システム１は、購入商品の会計処理（決済処理）を行うＰＯＳレジスター２と、このＰＯＳレジスター２に、それぞれ、ＵＳＢ（Universal  Serial  Bus）ケーブル３、４で並列に接続されたレシートプリンター５およびクーポンプリンター６とを備えている。レシートプリンター５は、会計レシートＡを発行（印刷）する印刷装置であり、クーポンプリンター６は、クーポンＢを発行（印刷）する印刷装置である。
【００２０】
ＰＯＳレジスター２は、バーコードを読み取るスキャナー２０と、表示・操作を行うタッチパネル２１と、顧客に向けて情報を表示する顧客ディスプレイ２２と、紙幣および硬貨を収容するキャッシュドロアー２３とを備えている。会計処理を行う際には、スキャナー２０によるバーコードの読取りやタッチパネル２１の操作によって、購入商品の情報がＰＯＳレジスター２に入力される。これによって、１以上の購入商品の情報が入力され、１以上の購入商品に対する会計処理が行われる。
【００２１】
また、ＰＯＳレジスター２には、会計処理を行うＰＯＳアプリケーション３１と、レシートプリンター５およびクーポンプリンター６を制御するプリンタードライバー３２がインストールされている（いずれも図２参照）。すなわち、ＰＯＳレジスター２は、ＰＯＳアプリケーション３１がインストールされることで、「会計処理装置」として機能する。また、ＰＯＳレジスター２は、プリンタードライバー３２がインストールされることで、「印刷制御装置（ホスト装置）」として機能する。
【００２２】
レシートプリンター５は、ＰＯＳレジスター２からの会計処理データを受信し、会計処理データに基づいて会計レシートＡを印刷する。これによって、会計レシートＡを発行する。一方、クーポンプリンター６は、ＰＯＳレジスター２からクーポンデータを受信し、クーポンデータに基づいてクーポンＢを印刷する。これによって、クーポンＢを発行する。なお、詳細は後述するが、レシートプリンター５およびクーポンプリンター６は、会計処理データやクーポンデータに加え、印刷する会計レシートＡとクーポンＢを関連付けるための照合データＣを受信し、照合データＣを付加して会計レシートＡおよびクーポンＢの印刷を行う。
【００２３】
次に図２を参照して、ＰＯＳレジスター２、レシートプリンター５およびクーポンプリンター６の制御構成について説明する。図２に示すように、ＰＯＳレジスター２は、制御構成として、上記したＰＯＳアプリケーション３１とプリンタードライバー３２とを有している。
【００２４】
ＰＯＳアプリケーション３１は、スキャナー２０やタッチパネル２１による入力情報（購入商品の情報）に基づいて、１以上の購入商品に対する会計処理を行う。すなわち、ＰＯＳアプリケーション３１は、入力情報に基づいて、少なくとも各購入商品の商品名と購入合計金額とを含む会計処理データを生成する。また、ＰＯＳアプリケーション３１は、生成した会計処理データをプリンタードライバー３２に出力する。
【００２５】
プリンタードライバー３２は、会計データ取得部４１と、キーコード記憶部４２と、キーコード検出部４３と、クーポン発行判定部４４と、照合データ生成部４５と、会計データ送信部（レシート印刷制御部）４６と、クーポンデータ生成部４７と、クーポンデータ送信部４８と、を備えている。詳細は後述するが、プリンタードライバー３２は、ＰＯＳアプリケーション３１から出力された会計処理データに基づいて、レシートプリンター５およびクーポンプリンター６の印刷制御を行う。また、プリンタードライバー３２は、当該会計処理データに基づいて、クーポン発行の有無および発行するクーポンＢの種類を判定する。なお、「クーポン印刷制御部」は、クーポンデータ生成部４７およびクーポンデータ送信部４８により構成されている。
【００２６】
会計データ取得部４１は、ＰＯＳアプリケーション３１から出力された会計処理データを取得する。
【００２７】
キーコード記憶部４２は、予め登録された複数のキーコードを不揮発に記憶している。このキーコードは、クーポンＢの発行判定に用いる文字列である。本実施形態では、キーコード記憶部４２は、キーコードとして、クーポン発行の発行対象商品の商品名を複数記憶している。
【００２８】
キーコード検出部４３は、会計データ取得部４１により取得された会計処理データ（のテキストデータ）から、キーコード記憶部４２に記憶されているキーコードと一致する文字列を検出する。本実施形態では、クーポン発行の発行対象商品の商品名をキーコードとしているため、購入商品の中に当該発行対象商品がある場合に、その商品名を検出する。
【００２９】
クーポン発行判定部４４は、キーコード検出部４３の検出結果に基づいて、クーポン発行の有無を判定する。すなわち、クーポン発行判定部４４は、会計処理データからキーコードと一致する文字列が検出された場合、クーポン発行「有」と判定し、会計処理データからキーコードと一致する文字列が検出されなかった場合、クーポン発行「無」と判定する。すなわち、会計処理データに、キーコード記憶部４２に記憶されたキーコードと一致する文字列が含まれている場合、クーポン発行「有」と判定し、当該キーコードと一致する文字列が含まれていない場合、クーポン発行「無」と判定する。
【００３０】
照合データ生成部４５は、クーポン発行判定部４４により、クーポン発行「有」と判定された場合に、発行（印刷）する会計レシートＡとクーポンＢとを関連付ける照合データＣを生成する。具体的には、照合データ生成部４５は、クーポン発行を行う会計処理毎のシリアル番号を生成し、これを照合データＣとして用いる。すなわち、クーポン発行「有」と判定される都度、シリアル番号をカウントアップして、その会計処理に割り当てる。その結果、照合データ生成部４５は、会計処理データ毎に（会計処理データ単位で）照合データＣを生成する構成となる。
【００３１】
会計データ送信部４６は、会計処理データをレシートプリンター５に送信して、レシートプリンター５に会計レシートＡを印刷させる。会計データ送信部４６は、クーポン発行判定部４４によりクーポン発行「有」と判定された場合には、会計処理データに加え、生成した照合データＣを送信して、照合データＣを付加した会計レシートＡを印刷させる。一方、クーポン発行判定部４４によりクーポン発行「無」と判定された場合には、会計処理データのみを送信して、照合データＣを付加しない会計レシートＡを印刷させる。すなわち、会計処理データに、キーコード記憶部４２に記憶されたキーコードと一致する文字列が含まれている場合には、照合データＣを付加した会計レシートＡを印刷させ、当該キーコードと一致する文字列が含まれていない場合には、照合データＣを付加しない会計レシートＡを印刷させる構成となっている。
【００３２】
クーポンデータ生成部４７は、キーコード検出部４３の検出結果に基づき、一致したキーコードに応じたクーポンデータを生成する。本実施形態では、クーポンデータとして、クーポンＢの種類を特定するクーポンコードを生成する。すなわち、クーポンデータ生成部４７は、予め記憶したキーコードとクーポンコードとを対応付けたデータテーブルを参照し、キーコード検出部４３により、上記一致したキーコードに対応するクーポンコードを生成して、クーポンデータとする。
【００３３】
クーポンデータ送信部４８は、クーポンデータをクーポンプリンター６に送信して、クーポンプリンター６にクーポンＢを印刷させる。クーポンデータ送信部４８は、クーポン発行判定部４４によりクーポン発行「有」と判定された場合には、クーポンデータに加え、生成した照合データＣを送信して、照合データＣを付加したクーポンＢを印刷させる。一方、クーポン発行判定部４４によりクーポン発行「無」と判定された場合には、クーポンデータの送信自体をキャンセルする。すなわち、会計処理データに、キーコード記憶部４２に記憶されたキーコードと一致する文字列が含まれている場合には、照合データＣを付加したクーポンＢを印刷させ、当該キーコードと一致する文字列が含まれていない場合には、クーポンＢの印刷をキャンセルする構成となっている。
【００３４】
レシートプリンター５は、会計データ受信部５１と、レシート印刷部５２とを有している。会計データ受信部５１は、ＰＯＳレジスター２から送信された会計処理データおよび照合データＣを受信する。
【００３５】
レシート印刷部５２は、受信した会計処理データに基づいて、会計レシートＡを印刷（発行）する。レシート印刷部５２は、会計処理データと共に、照合データＣを受信した場合には、照合データＣを付加した会計レシートＡ（図１参照）を印刷する。一方、会計処理データのみを受信し、照合データＣを受信しなかった場合には、照合データＣを付加しない会計レシートＡを印刷する。
【００３６】
クーポンプリンター６は、クーポンデータ受信部６１と、グラフィックデータ記憶部６２と、クーポン印刷部６３とを有している。クーポンデータ受信部６１は、ＰＯＳレジスター２から送信されたクーポンデータ（クーポンコード）および照合データＣを受信する。
【００３７】
グラフィックデータ記憶部６２は、クーポンコードと、クーポンＢの種類に応じたクーポンＢのグラフィックデータ（ラスタデータ）とを関連付けて記憶している。
【００３８】
クーポン印刷部６３は、グラフィックデータ記憶部６２から、受信したクーポンコードに対応するグラフィックデータを読み出し、当該グラフィックデータと、受信した照合データＣとを合成した合成データを生成する。この合成データを記録紙に印刷することで、照合データＣが付加したクーポンＢを印刷（発行）する。
【００３９】
ここで図３を参照して、会計処理システム１による会計レシートＡおよびクーポンＢの発行動作について説明する。本発行動作は、ＰＯＳレジスター２のＰＯＳアプリケーション３１により会計処理が行われ、会計データ取得部４１により、ＰＯＳアプリケーション３１から出力された会計処理データを取得することに起因して実行される。
【００４０】
図３に示すように、ＰＯＳレジスター２は、会計データ取得部４１により、ＰＯＳアプリケーション３１からの会計処理データを取得すると（Ｓ１）、キーコード検出部４３により、取得した会計処理データから、キーコード記憶部４２に記憶されたキーコードと一致する文字列を検出する（Ｓ２）。そして、キーコード検出部４３によりキーコードと一致する文字列が検出された場合（Ｓ３：Ｙｅｓ）、クーポン発行判定部４４により、クーポン発行「有」と判定する（Ｓ４）。一方、キーコード検出部４３によりキーコードと一致する文字列が検出されなかった場合（Ｓ３：Ｎｏ）、クーポン発行判定部４４により、クーポン発行「無」と判定する（Ｓ５）。
【００４１】
クーポン発行判定部４４によりクーポン発行「有」と判定された場合（Ｓ４）には、クーポンデータ生成部４７により、クーポンデータを生成する（Ｓ６）。その後、照合データ生成部４５により、照合データＣを生成する（Ｓ７：照合データ生成ステップ）。そして、クーポンデータ送信部４８により、クーポンデータおよび照合データＣをクーポンプリンター６に送信し（Ｓ８）、会計データ送信部４６により、会計処理データおよび照合データＣをレシートプリンター５に送信する（Ｓ９：レシート印刷制御ステップ）。なお、「クーポン印刷制御ステップ」は、クーポンデータの生成（Ｓ６）とクーポンデータおよび照合データＣの送信（Ｓ８）により実行される。
【００４２】
これに対し、クーポンプリンター６は、クーポンデータ受信部６１により、クーポンデータおよび照合データＣを受信し（Ｓ１０）、クーポン印刷部６３により、照合データＣを付加したクーポンＢを印刷（発行）する（Ｓ１１）。また、レシートプリンター５は、会計データ受信部５１により、会計処理データおよび照合データＣを受信し（Ｓ１２）、レシート印刷部５２により、照合データＣを付加した会計レシートＡを印刷（発行）する（Ｓ１３）。これらによって、同一の照合データＣが印刷された会計レシートＡおよびクーポンＢが発行される。これにより、本発行動作を終了する。
【００４３】
一方、クーポン発行判定部４４によりクーポン発行「無」と判定された場合（Ｓ５）には、照合データ生成部４５による照合データＣの生成をキャンセルし、会計データ送信部４６により、会計処理データのみをレシートプリンター５に送信する（Ｓ１４）。また、クーポンデータの生成および送信をキャンセルし、クーポンＢの印刷（発行）をキャンセルする。
【００４４】
これに対し、レシートプリンター５は、会計データ受信部５１により会計処理データを受信し（Ｓ１５）、レシート印刷部５２により、照合データＣを付加しない会計レシートＡを印刷（発行）する（Ｓ１６）。これによって、照合データＣが印刷されていない会計レシートＡが発行される。これにより、本発行動作を終了する。
【００４５】
以上のような構成によれば、発行する会計レシートＡおよびクーポンＢの両方に、照合データＣを付加（追記）することで、オペレーターが、会計レシートＡとクーポンＢとの関連付けを視認することができる。そして、オペレーターは、照合データＣで関連付けられた会計レシートＡとクーポンＢとを一緒に顧客に引き渡すことで、顧客に対しクーポンＢを間違いなく引き渡すことができる。すなわち、会計レシートＡを介することで、顧客とクーポンＢとの関連付けが分かるため、クーポンＢの引渡し不備を抑制することができる。
【００４６】
また、ＰＯＳアプリケーション３１から出力された会計処理データに基づいて、ＰＯＳレジスター２が、クーポンＢを自動的に発行する構成であるため、クーポンＢの発行操作等を行う必要がない。ゆえに、オペレーターの、クーポンＢの発行操作の手間を排除することができる。
【００４７】
さらに、会計処理データ（のテキストデータ）に、予め登録されたキーコードが含まれているか否かに基づいて、クーポンＢを自動発行する構成であるため、既存の会計処理データを利用してクーポンＢを自動発行することができる。よって、会計処理データを出力するＰＯＳアプリケーション３１側に、何ら変更を加える必要がなく、本発明を容易に導入することができる。
【００４８】
またさらに、クーポンＢを発行しない場合には、照合データＣを付加しない会計レシートＡを発行することによって、会計レシートＡ上の照合データＣの有無を確認することで、会計レシートＡに対するクーポンＢの有無を確認することができる。ひいては、顧客に渡すべきクーポンＢの有無を容易に把握することができる。
【００４９】
なお、上記の実施形態においては、照合データＣとして、シリアル番号を用いたが、会計レシートＡとクーポンＢとの対応関係が認識できるものであれば、これに限るものではない。例えば、照合データＣとして、文字列や記号、マークや図画等を用いても良い。
【００５０】
また、上記の実施形態において、キーコードに対応したクーポンＢは、キーコード（商品名）が示す商品と同一の商品のクーポンＢ（割引券や引換え券）であっても良いし、キーコードが示す商品とは別の商品のクーポンＢであっても良い。
【００５１】
さらに、上記の実施形態においては、キーコードとして、商品の商品名（「○×牛乳」や「××パン」、「○○ジュース」等）を用い、キーコード検出部４３により、商品名を検出する構成であったが、これに限るものではない。例えば、キーコードとして、商品の商品カテゴリーのカテゴリー名（「牛乳」、「パン」や「ジュース」）等を用い、キーコード検出部４３により、商品カテゴリーのカテゴリー名を検出する構成であっても良い。
【００５２】
またさらに、上記の実施形態においては、会計処理内容のうち、購入商品の情報に基づいてクーポンＢを発行する構成であったが、会計処理内容に基づいてクーポンＢを発行する構成であれば、これに限るものではない。例えば、購入合計金額に基づいて、クーポンＢを発行する構成であっても良い。すなわち、購入合計金額に基づいて、クーポンＢの発行の有無および発行するクーポンＢの種類を判定（決定）する構成であっても良い。
【００５３】
なお、上記の実施形態においては、クーポンデータ生成部４７が、クーポンデータとしてクーポンコードを生成する構成であったが、クーポンデータ生成部４７が、クーポンデータとしてグラフィックデータ（ラスタデータ）そのものを生成する構成であっても良い。この場合、クーポンプリンター６で、グラフィックデータを記憶しておく必要がなく、クーポンプリンター６のグラフィックデータ記憶部６２を省略することができる。
【００５４】
また、上記の実施形態において、ＰＯＳレジスター２側で、グラフィックデータと照合データＣとを合成した合成画像を生成し、この合成画像をクーポンプリンター６に送信する構成であっても良い。
【００５５】
さらに、上記の実施形態においては、会計処理データを送信して、レシートプリンター５に、会計レシートＡを印刷させる構成であったが、会計処理データに基づくグラフィックデータ（ラスタデータ）を送信して、会計レシートＡを印刷させる構成であっても良い。また、ＰＯＳレジスター２側で、当該グラフィックデータと照合データＣとを合成した合成画像を生成し、会計処理データおよび照合データをＣ送信するのに代えて、当該合成画像を送信して、照合データＣを付加した会計レシートＡを印刷させる構成であっても良い。
【００５６】
また、上記の実施形態において、会計処理データに、キーコード記憶部４２に記憶されたキーコードと一致する文字列を複数種検出した場合、各文字列に対応した複数のクーポンデータを生成し、複数のクーポンＢを発行することが好ましい。かかる場合、発行する当該複数のクーポンＢおよび会計レシートＡには、同一の照合データＣを付加する。
【００５７】
さらに、上記の実施形態においては、プリンタードライバー３２によって、会計処理データの解析、照合データＣおよびクーポンデータの生成等を行う構成であったが、ＰＯＳレジスター２に対し、プリンタードライバー３２とは別に印刷制御アプリケーションをインストールし、当該印刷制御アプリケーションによって、これらを行う構成であっても良い。ひいては、ＰＯＳアプリケーション３１によって、これらを行う構成であっても良い。
【００５８】
またさらに、上記実施形態においては、ＰＯＳレジスター２によって、会計処理データの解析、照合データＣおよびクーポンデータの生成等を行う構成であったが、ＰＯＳレジスター２の出力側に制御装置を接続し、当該制御装置によってこれらを行っても良い。この場合、制御装置の出力側は、レシートプリンター５およびクーポンプリンター６に接続される。なお、ＰＯＳレジスター２と制御装置、制御装置とレシートプリンター５およびクーポンプリンター６は、ケーブル接続であっても良いし、ネットワーク接続であっても良い。
【００５９】
また、レシートプリンター５により、会計処理データの解析、照合データＣおよびクーポンデータの生成等を行う構成であっても良い。かかる場合、レシートプリンター５が、ＰＯＳレジスター２から送信された会計処理データにより、会計処理データの解析、照合データＣおよびクーポンデータの生成等を行い、クーポンプリンター６に対し、照合データＣおよびクーポンデータを送信して、クーポンプリンター６の印刷制御を行う。
【００６０】
なお、上記の実施形態においては、会計処理システム１が、ＰＯＳレジスター２、レシートプリンター５およびクーポンプリンター６を１台ずつ備えた構成を記載したが、これに限るものではない。すなわち、会計処理システム１が、ＰＯＳレジスター２、レシートプリンター５およびクーポンプリンター６の組を、複数組備えた構成であっても良い。また、かかる場合、２台以上のＰＯＳレジスター２で、１台のクーポンプリンター６を兼用する構成であっても良い。
【００６１】
また、上記の実施形態に示した会計処理システム１の各構成要素をプログラムとして提供することが可能である。また、そのプログラムを各種記録媒体に格納して提供することも可能である。その他、ＰＯＳレジスター２の処理をクラウドコンピューティングによって行ったり、レシートプリンター５やクーポンプリンター６をＷｅｂプリンターとして実現したりなど、本発明の要旨を逸脱しない範囲で、適宜変更が可能である。
【符号の説明】
【００６２】
２：ＰＯＳレジスター、  ５：レシートプリンター、  ６：クーポンプリンター、  ４１：会計データ取得部、  ４５：照合データ生成部、  ４６：会計データ送信部、  ４７：クーポンデータ生成部、  ４８：クーポンデータ送信部、  Ａ：会計レシート、  Ｂ：クーポン、  Ｃ：照合データ
【図１】
2015099419.tif 000003
【図２】
2015099419.tif 000004
【図３】
2015099419.tif 000005